(57)【要約】【課題】印刷時間の短縮を図った印刷装置、印刷方法及び印刷プログラムを提供する。【解決手段】ＰＣ１０は、電子文書が開かれた時点で予めその電子文書を処理対象電子文書として、ハッシュ値と描画要求ありの印刷有無情報とを含んだタグを付加した上でプリンタ２０へ送信し、当該プリンタ２０は、処理対象電子文書に基づいて描画処理を行い、対応するハッシュ値を付加した描画データを記憶しておく。その後、ＰＣ１０は、印刷要求が指示されると、電子文書を印刷対象電子文書として、ハッシュ値と印刷要求ありの印刷有無情報とを含んだタグを付加した上でプリンタ２０へ送信し、当該プリンタ２０は、そのタグのみを受信した時点で、当該タグ内のハッシュ値と同一のハッシュ値を含むタグを付加した記憶済みの描画データの転写処理を行う。【選択図】図２
2008176542.tif 000002
【特許請求の範囲】
【請求項１】
電子文書を印刷装置へ送信する送信装置であって、
電子文書が利用された場合に、該電子文書に識別情報を付与する付与手段と、
前記付与手段により識別情報が付与された電子文書を前記印刷装置へ送信する第１の送信手段と、
前記第１の送信手段により前記電子文書が送信された後に、前記付与手段により前記電子文書に付与された識別情報と、該電子文書の印刷要求を前記印刷装置へ送信する第２の送信手段とを有することを特徴とする送信装置。
【請求項２】
前記電子文書を表示手段に表示させる表示制御手段を有し、
前記付与手段は、前記電子文書が前記表示手段に表示された場合に、該電子文書に前記識別情報を付与することを特徴とする請求項１に記載の送信装置。
【請求項３】
前記第１の送信手段は、前記付与手段により識別情報が付与された電子文書の印刷処理の一部の処理の要求を前記印刷装置へ送信することを特徴とする請求項１又は２に記載の送信装置。
【請求項４】
前記電子文書を送信するか否かを判定する判定手段を有し、
前記第１の送信手段は、前記判定手段により、前記電子文書を送信することが判定された場合に、該電子文書を前記印刷装置へ送信することを特徴とする請求項１乃至３のいずれかに記載の送信装置。
【請求項５】
前記判定手段は、前記電子文書に付加されている情報に基づいて、前記電子文書を送信するか否かを判定することを特徴とする請求項４に記載の送信装置。
【請求項６】
前記識別情報は、前記電子文書から得られるハッシュ値を含むことを特徴とする請求項１乃至５のいずれかに記載の送信装置。
【請求項７】
電子文書を印刷装置へ送信する送信装置における送信方法であって、
電子文書が利用された場合に、該電子文書に識別情報を付与する付与ステップと、
前記付与ステップにより識別情報が付与された電子文書を前記印刷装置へ送信する第１の送信ステップと、
前記第１の送信ステップにより前記電子文書が送信された後に、前記付与ステップにより前記電子文書に付与された識別情報と、該電子文書の印刷要求を前記印刷装置へ送信する第２の送信ステップとを有することを特徴とする送信方法。
【請求項８】
前記第１の送信ステップは、前記付与ステップにより識別情報が付与された電子文の印刷処理の一部の処理の要求を前記印刷装置へ送信することを特徴とする請求項７に記載の送信方法。
【請求項９】
電子文書を印刷装置へ送信する送信装置における送信プログラムであって、
電子文書が利用された場合に、該電子文書に識別情報を付与する付与ステップと、
前記付与ステップにより識別情報が付与された電子文書を前記印刷装置へ送信する第１の送信ステップと、
前記第１の送信ステップにより前記電子文書が送信された後に、前記付与ステップにより前記電子文書に付与された識別情報と、該電子文書の印刷要求を前記印刷装置へ送信する第２の送信ステップとを有することを特徴とする送信プログラム。
【請求項１０】
前記第１の送信ステップは、前記付与ステップにより識別情報が付与された電子文の印刷処理の一部の処理の要求を前記印刷装置へ送信することを特徴とする請求項９に記載の送信プログラム。
【発明の詳細な説明】
【技術分野】
【０００１】
本発明は、電子文書を印刷装置へ送信する送信装置、当該送信装置における送信方法、及び、当該送信装置において実行される送信プログラムに関する。
【背景技術】
【０００２】
近年、プリンタによる印刷処理の高速化のための様々な技術が提案されている。例えば、特許文献１に記載された技術では、パーソナルコンピュータ（ＰＣ）当の送信装置が、ＰＤＦ（Portable Document Format）形式の電子文書から印刷に必要な情報、具体的には電子文書全体における各オブジェクトの位置と、各オブジェクトに対応するページの解析に必要な情報とを予め読み出しておき、プリンタからの要求があった場合に、これらの情報を送信する。
【特許文献１】特開２００４−１７１２０４号公報
【発明の開示】
【発明が解決しようとする課題】
【０００３】
しかしながら、上述した特許文献１に記載された技術では、送信装置とプリンタとの間で頻繁に通信処理を行う必要があり、必ずしも印刷時間が短縮されるとはいえなかった。
【０００４】
本発明の目的は、上述した課題を解決するものであり、印刷装置における印刷時間の短縮を図った送信装置、送信方法及び送信プログラムを提供するものである。
【課題を解決するための手段】
【０００５】
本発明に係る、電子文書を印刷装置へ送信する送信装置は、電子文書が利用された場合に、該電子文書に識別情報を付与する付与手段と、前記付与手段により識別情報が付与された電子文書を前記印刷装置へ送信する第１の送信手段と、前記第１の送信手段により前記電子文書が送信された後に、前記付与手段により前記電子文書に付与された識別情報と、該電子文書の印刷要求を前記印刷装置へ送信する第２の送信手段とを有することを特徴とする。
【０００６】
また、本発明の送信装置は、前記電子文書を表示手段に表示させる表示制御手段を有し、前記付与手段が、前記電子文書が前記表示手段に表示された場合に、該電子文書に前記識別情報を付与するようにしてもよい。
【０００７】
また、本発明の送信装置は、前記第１の送信手段が、前記付与手段により識別情報が付与された電子文書の印刷処理の一部の処理の要求を前記印刷装置へ送信するようにしてもよい。
【０００８】
また、本発明の送信装置は、前記電子文書を送信するか否かを判定する判定手段を有し、前記第１の送信手段が、前記判定手段により、前記電子文書を送信することが判定された場合に、該電子文書を前記印刷装置へ送信するようにしてもよい。
【０００９】
また、本発明の送信装置は、前記判定手段が、前記電子文書に付加されている情報に基づいて、前記電子文書を送信するか否かを判定するようにしてもよい。
【００１０】
また、本発明の送信装置は、前記識別情報が、前記電子文書から得られるハッシュ値を含むようにしてもよい。
【００１１】
本発明に係る、電子文書を印刷装置へ送信する送信装置における送信方法は、電子文書が利用された場合に、該電子文書に識別情報を付与する付与ステップと、前記付与ステップにより識別情報が付与された電子文書を前記印刷装置へ送信する第１の送信ステップと、前記第１の送信ステップにより前記電子文書が送信された後に、前記付与ステップにより前記電子文書に付与された識別情報と、該電子文書の印刷要求を前記印刷装置へ送信する第２の送信ステップとを有することを特徴とする。  
【００１２】
また、本発明の送信方法は、前記第１の送信ステップが、前記付与ステップにより識別情報が付与された電子文の印刷処理の一部の処理の要求を前記印刷装置へ送信するようにしてもよい。
【００１３】
本発明に係る、電子文書を印刷装置へ送信する送信装置における送信プログラムは、電子文書が利用された場合に、該電子文書に識別情報を付与する付与ステップと、前記付与ステップにより識別情報が付与された電子文書を前記印刷装置へ送信する第１の送信ステップと、前記第１の送信ステップにより前記電子文書が送信された後に、前記付与ステップにより前記電子文書に付与された識別情報と、該電子文書の印刷要求を前記印刷装置へ送信する第２の送信ステップとを有することを特徴とする。
【００１４】
また、本発明の送信プログラムは、前記第１の送信ステップが、前記付与ステップにより識別情報が付与された電子文の印刷処理の一部の処理の要求を前記印刷装置へ送信するようにしてもよい。
【発明の効果】
【００１５】
本発明の送信装置によれば、電子文書が利用された時点で、当該電子文書は識別情報が付与された上で印刷装置へ送信され、当該印刷装置において予め記憶させることができ、その後、送信装置が印刷要求を印刷装置へ送信すると、印刷装置では、当該印刷処理要求に基づいて、直ちに印刷処理が可能となる。従って、印刷装置において、印刷要求から印刷が完了するまでの時間を短縮することができる。
【００１６】
また、本発明の送信装置によれば、電子文書がモニタ等の表示手段に表示されると、当該電子文書は識別情報が付与された上で印刷装置へ送信される。従って、ユーザが別段の操作を行うことなく、電子文書を印刷装置へ送信することが可能となる。
【００１７】
また、本発明の送信装置によれば、電子文書とともに、当該電子文書の印刷処理の一部の処理の要求が印刷装置へ送信される。従って、印刷装置では、その印刷処理の一部の処理の要求に応じて、予め印刷処理の一部の処理を行うことができ、その後も印刷要求を受信した場合には、既に処理された印刷処理の一部以外のみを処理するだけでよく、印刷要求から印刷が完了するまでの時間を更に短縮することができる。
【００１８】
また、本発明の送信装置によれば、電子文書を送信するか否かが判定され、その判定結果に応じて、電子文書が送信される。従って、機密性が高い等のために印刷が禁止されている電子文書が無制限に印刷装置に送信されてしまうことが防止され、ユーザの選択等に応じた適切な送信が可能となる。
【００１９】
また、本発明の送信装置によれば、電子文書に付加されている情報に基づいて、当該電子文書を送信するか否かが判定されるため、電子文書の属性等に応じた適切な送信が可能となる。
【００２０】
また、本発明の送信装置によれば、電子文書に付与される識別情報に、当該電子文書から得られるハッシュ値を含ませるようにすることで、異なる電子文書に同一の識別情報が付与される可能性を極めて小さくすることができる。
【発明を実施するための最良の形態】
【００２１】
本発明の実施の形態について、図面を参照して具体的に説明する。図１は、本発明の実施形態に係る印刷システムの構成を示す図である。図１に示す印刷システムは、送信装置としてのパーソナルコンピュータ（ＰＣ）１０と、印刷装置としてのプリンタ２０とを有し、これらがイントラネット３０によって接続されて構成される。この印刷システムにおいて、ＰＣ１０は、印刷用の電子文書をプリンタ２０へ送信し、プリンタ２０は、この電子文書を受信して印刷する。
【００２２】
図２は、ＰＣ１０の構成を示す図である。図１に示すＰＣ１０は、付与手段、表示制御手段及び判定手段に対応し、ＰＣ１０の全体を制御するＣＰＵ等の制御部１０２と、キーボードやマウス等を含む操作部１０４と、電子文書等を記憶するハードディスクやメモリ等の記憶部１０６と、電子文書を表示するモニタ１０８と、第１及び第２の送信手段に対応し、電子文書を送信する通信部１１０とにより構成される。
【００２３】
図３は、プリンタ２０の構成を示す図である。図２に示すプリンタ２０は、プリンタ２０の全体を制御するＣＰＵ等の制御部２０２と、電子文書を受信する通信部２０４と、電子文書を記憶するメモリ等の記憶部２０６と、電子文書を印刷する処理を行う描画処理部２０８及び転写処理部２１０とにより構成される。
【００２４】
次に、印刷システムを構成するＰＣ１０及びプリンタ２０の動作を説明する。図４は、ＰＣ１０の電子文書送信時の動作を示すフローチャートである。ＰＣ１０内の制御部１０２は、電子文書を表示するためのビューワ等のプログラムを記憶部１０６から読み出して実行した後、ユーザによって操作部１０４が操作されて、ファイル名が指定され、電子文書を開く処理が指示されたか否かを判定する（Ｓ１０１）。
【００２５】
電子文書を開く処理が指示された場合、制御部１０２は、指定されたファイル名を有する電子文書（処理対象電子文書）を記憶部１０６から読み出して、モニタ１０８に表示させる（Ｓ１０２）。
【００２６】
次に、制御部１０２は、その読み出した処理対象電子文書を送信すべきか否かを判定する（Ｓ１０３）。具体的には、制御部１０２は、予め処理対象電子文書に付加されている送信可否を表す情報を参照し、その送信可否情報が処理対象電子文書の送信を許可する内容である場合には、当該処理対象電子文書を送信すべきであると判定する。あるいは、制御部１０２は、ユーザによって操作部１０４が操作されて、処理対象電子文書の送信が指示された場合には、当該処理対象電子文書を送信すべきであると判定する。
【００２７】
処理対象電子文書を送信すべきでない場合には、一連の動作が終了する。一方、処理対象電子文書を送信すべきである場合には、制御部１０２は、読み出した処理対象電子文書についての識別情報に対応するハッシュ値を算出する（Ｓ１０４）。このハッシュ値は、電子文書に含まれる文から生成される疑似乱数である。文が異なればハッシュ値も異なっており、当該ハッシュ値は文に対する固有の値である。
【００２８】
次に、制御部１０２は、読み出した処理対象電子文書の先頭部に、生成したハッシュ値と、印刷処理の一部である描画処理の要求（描画要求）があることを示す印刷有無情報とを含ませたタグを付加する。図５は、ハッシュ値と描画要求があることを示す印刷有無情報とが含まれるタグを付加した処理対象電子文書の一例を示す図である。更に、制御部１０２は、このタグを付加した処理対象電子文書を通信部１１０へ出力するとともに、プリンタ２０への送信を指示する。通信部１１０は、この指示に従い、入力した、ハッシュ値と描画要求があることを示す印刷有無情報とが含まれるタグを付加した処理対象電子文書をプリンタ２０へ送信する（Ｓ１０５）。
【００２９】
図６は、ＰＣ１０の印刷要求送信時の動作を示すフローチャートである。この動作は、上述した電子文書送信時の動作の後に行われる。
【００３０】
ＰＣ１０内の制御部１０２は、図４のＳ１０５において、ハッシュ値と描画要求があることを示す印刷有無情報とが含まれるタグを付加した処理対象電子文書がプリンタ２０へ送信された後、更に、ユーザによって操作部１０４が操作されて、当該処理対象電子文書の印刷が指示されたか否かを判定する（Ｓ２０１）。
【００３１】
処理対象電子文書を印刷する処理が指示された場合、制御部１０２は、その印刷対象となった処理対象電子文書（印刷対象電子文書）について、識別情報に対応するハッシュ値を算出する（Ｓ２０２）。
【００３２】
次に、制御部１０２は、印刷対象電子文書の先頭部に、生成したハッシュ値と、印刷要求があることを示す印刷有無情報とを含ませたタグを付加する。図７は、ハッシュ値と印刷要求があることを示す印刷有無情報とが含まれるタグを付加した印刷対象電子文書の一例を示す図である。更に、制御部１０２は、このタグを付加した印刷対象電子文書を通信部１１０へ出力するとともに、プリンタ２０への送信を指示する。通信部１１０は、この指示に従い、入力した、ハッシュ値と印刷要求があることを示す印刷有無情報とが含まれるタグを付加した印刷対象電子文書をプリンタ２０へ送信する（Ｓ２０３）。
【００３３】
なお、印刷対象電子文書と処理対象電子文書とが同一である場合には、印刷対象電子文書について算出されるハッシュ値と、処理対象電子文書について算出されるハッシュ値とは同一であり、更には、印刷対象電子文書は、既に処理対象電子文書としてプリンタ２０に送信済みである。従って、この場合には、制御部１０２は、Ｓ２０２におけるハッシュ値を算出しなくてもよい。また、制御部１０２は、図４のＳ１０４において算出したハッシュ値と、印刷要求があることを示す印刷有無情報とを含ませたタグのみを通信部１１０へ出力し、通信部１１０は、このタグのみを送信するようにし、印刷対象電子文書については送信されないようにしてもよい。
【００３４】
図８乃至図１０は、プリンタ２０の電子文書印刷時の動作を示すフローチャートである。プリンタ２０内の制御部２０２は、通信部２０４がＰＣ１０からの情報を受信したか否かを判定する（Ｓ３０１）。
【００３５】
通信部２０４がＰＣ１０からの情報を受信した場合、制御部２０２は、その受信情報を取得する。更に、制御部２０２は、受信情報がハッシュ値と描画要求があることを示す印刷有無情報とが含まれるタグを付加した処理対象電子文書であるか否か、換言すれば、図４のＳ１０５においてＰＣ１０から送信された処理対象電子文書であるか否かを判定する（Ｓ３０２）。具体的には、制御部２０２は、受信情報の先頭部にタグが含まれ、当該タグの後に電子文書が含まれているか否かを判定する。更に、制御部２０２は、受信情報にこれらタグ及び電子文書が含まれている場合には、当該タグにハッシュ値と印刷要求がないことを示す印刷有無情報とが含まれているか否かを判定する。
【００３６】
受信情報がハッシュ値と描画要求があることを示す印刷有無情報とが含まれるタグを付加した処理対象電子文書である場合には、制御部２０２は、その処理対象電子文書を描画処理部２０８へ出力する。描画処理部２０８は、入力した処理対象電子文書に基づいて描画処理を行い、描画データを得る（Ｓ３０３）。この描画データは、制御部２０２へ送られる。制御部２０２は、入力した描画データに、当該描画データに対応する処理対象電子文書に付加されたタグ内のハッシュ値を付加して記憶部２０６に記憶させる（Ｓ３０４）。
【００３７】
一方、受信情報がハッシュ値と描画要求があることを示す印刷有無情報とが含まれるタグを付加した処理対象電子文書でない場合には、図９に示す動作に移行し、制御部２０２は、受信情報がハッシュ値と印刷要求があることを示す印刷有無情報とが含まれるタグであるか否か、換言すれば、図６のＳ２０３においてＰＣ１０から送信された印刷対象電子文書に付加されたタグであるか否かを判定する（Ｓ４０１）。具体的には、制御部２０２は、受信情報がタグであるか否かを判定する。更に、制御部２０２は、受信情報がタグである場合には、当該タグにハッシュ値と印刷要求があることを示す印刷有無情報とが含まれているか否かを判定する。
【００３８】
受信情報がハッシュ値と印刷要求があることを示す印刷有無情報とが含まれるタグでない場合には、一連の動作が終了する。一方、受信情報がハッシュ値と印刷要求があることを示す印刷有無情報とが含まれるタグである場合には、制御部２０２は、図８のＳ３０４において既に記憶部２０６に記憶されている、ハッシュ値が付加された描画データ（記憶済みの描画データ）を読み出す。そして、制御部２０２は、受信情報であるタグ内のハッシュ値と、記憶済みの描画データに付加されたハッシュ値とを比較し（Ｓ４０２）、これらのハッシュ値が一致するか否かを判定する（Ｓ４０３）。
【００３９】
受信情報であるタグ内のハッシュ値と、記憶済みの描画データに付加されているハッシュ値とが一致する場合には、受信情報であるタグを付加した印刷対象電子文書と、記憶済みの描画データに対応する処理対象電子文書とは同一である。従って、受信情報であるタグを付加した印刷対象電子文書が受信される前であっても、記憶済みの描画データに基づいて転写処理を行えば、印刷対象電子文書を印刷したことと同等となる。
【００４０】
従って、受信情報であるタグ内のハッシュ値と、記憶済みの描画データに付加されているハッシュ値とが一致する場合には、制御部２０２は、記憶済みの描画データのうち、受信情報であるタグ内のハッシュ値と同一のハッシュ値が付加されたものを転写処理部２０８へ出力する。転写処理部２１０は、入力した描画データに基づいて転写処理を行う（Ｓ４０４）。これにより、受信情報であるタグを付加した印刷対象電子文書と同一の処理対象電子文書の印刷が完了する。
【００４１】
一方、受信情報であるタグ内のハッシュ値と、記憶済みの描画データに付加されているハッシュ値とが一致しない場合（Ｓ４０３において否定判断の場合）には、図１０に示す動作に移行し、制御部２０２は、受信情報であるタグを付加した印刷対象電子文書、換言すれば、図６のＳ２０３においてＰＣ１０から送信された、ハッシュ値と印刷要求があることを示す印刷有無情報とが含まれるタグを付加した印刷対象電子文書の受信待ちとなる（Ｓ５０１）。
【００４２】
そして、制御部２０２は、通信部２０４がＰＣ１０からのハッシュ値と印刷要求があることを示す印刷有無情報とが含まれるタグを付加した印刷対象電子文書を受信したか否かを判定する（Ｓ５０２）。ここで、通信部２０４は、ハッシュ値と印刷要求があることを示す印刷有無情報とが含まれるタグに続いて、印刷対象電子文書を受信する。
【００４３】
通信部２０４がＰＣ１０からのハッシュ値と印刷要求があることを示す印刷有無情報とが含まれるタグを付加した印刷対象電子文書を受信した場合、制御部２０２は、その印刷対象電子文書を取得して、描画処理部２０８へ出力する。描画処理部２０８は、入力した印刷対象電子文書に基づいて描画処理を行い、描画データを得る。この描画データは、制御部２０２へ送られ、更に転写処理部２１０へ送られる。転写処理部２１０は、入力した描画データに基づいて転写処理を行う（Ｓ５０３）。これにより、ハッシュ値と印刷要求があることを示す印刷有無情報とが含まれるタグを付加した印刷対象電子文書の印刷が完了する。
【００４４】
このように、本実施形態の印刷システムでは、ＰＣ１０は、電子文書が開かれた時点で予めその電子文書を処理対象電子文書として、ハッシュ値と描画要求があることを示す印刷有無情報とを含んだタグを付加した上でプリンタ２０へ送信し、当該プリンタ２０は、処理対象電子文書に基づいて描画処理を行い、描画データに、対応する処理対象電子文書に付加されたタグ内のハッシュ値を付加した上で記憶しておく。その後、ＰＣ１０は、印刷要求が指示されると、電子文書を印刷対象電子文書として、ハッシュ値と印刷要求ありの印刷有無情報とを含んだタグを付加した上でプリンタ２０へ送信する。そして、当該プリンタ２０は、そのタグのみを受信した時点で、当該タグ内のハッシュ値と同一のハッシュ値を付加した記憶済みの描画データ、換言すれば、印刷対象電子文書と同一の処理対象電子文書から得られた描画データを特定して、その記憶済みの描画データに基づいて、残りの印刷処理である転写処理を行う。従って、プリンタ２０において、印刷対象電子文書が受信される前であっても、当該印刷対象電子文書と同一の処理対象電子文書が印刷されるため、印刷要求から印刷が完了するまでの時間を短縮することができる。
【００４５】
なお、上述した実施形態では、図４のＳ１０５において、ＰＣ１０内の制御部１０２は、読み出した処理対象電子文書の先頭部に、生成したハッシュ値と、描画要求があることを示す印刷有無情報とを含ませたタグを付加し、通信部１１０は、このハッシュ値と描画要求があることを示す印刷有無情報とが含まれるタグを付加した処理対象電子文書をプリンタ２０へ送信したが、制御部１０２は、読み出した処理対象電子文書の先頭部に、生成したハッシュ値と、印刷要求がないことを示す印刷有無情報とを含ませたタグを付加し、通信部１１０は、このハッシュ値と印刷要求がないことを示す印刷有無情報とが含まれるタグを付加した処理対象電子文書をプリンタ２０へ送信してもよい。
【００４６】
この場合、プリンタ２０内の制御部２０２は、Ｓ３０３の動作を行わずに、受信情報であるハッシュ値と印刷要求がないことを示す印刷有無情報とが含まれるタグを付加した処理対象電子文書を記憶部２０６に記憶させる。更に、制御部２０２は、Ｓ４０２において、受信情報のタグ内のハッシュ値と、記憶済みの処理対象電子文書に付加されたタグ内のハッシュ値とを比較し、両者が一致する場合には、Ｓ４０４において、描画処理部２０８は、記憶済みの処理対象電子文書に基づいて描画処理を行い、更に転写処理部２１０は、描画データに基づいて転写処理を行う。
【００４７】
図１１は、印刷時間の比較を示す図である。図１１（ａ）は従来のプリンタの印刷時間である。従来、プリンタは、印刷対象電子文書の受信を完了した後に、当該印刷対象電子文書の描画処理及び転写処理を行っていた。一方、図１１（ｂ）は本実施形態のプリンタ２０の印刷時間である。本実施形態では、プリンタ２０は、印刷対象電子文書に付加されたタグを受信した時点で、当該印刷対象電子文書の受信前であっても、当該印刷対象電子文書と同一の記憶済みの処理対象電子文書の描画処理及び転写処理を行うことができ、印刷時間の短縮が図られる。
【００４８】
更に、図１１（ｃ）は本実施形態のプリンタ２０において処理対象電子文書の受信時に描画処理まで行う場合の印刷時間である。この場合には、プリンタ２０は、印刷対象電子文書に付加されたタグを受信した時点で、当該印刷対象電子文書と同一の記憶済みの処理対象電子文書について、転写処理部２１０による既に生成済みの描画データに基づく転写処理のみを行えばよく、更なる印刷時間の短縮が図られる。
【産業上の利用可能性】
【００４９】
以上、説明したように、本発明に係る送信装置、送信方法及び送信プログラムは、印刷時間の短縮が可能であり、印刷システム等として有用である。
【図面の簡単な説明】
【００５０】
【図１】印刷システムの構成を示す図である。
【図２】印刷システムにおけるＰＣの構成を示す図である。
【図３】印刷システムにおけるプリンタの構成を示す図である。
【図４】ＰＣの電子文書送信時の動作を示すフローチャートである。
【図５】ハッシュ値と印刷要求がないことを示す印刷有無情報とが含まれるタグを付加した処理対象電子文書の一例を示す図である。
【図６】ＰＣの印刷要求送信時の動作を示すフローチャートである。
【図７】ハッシュ値と印刷要求があることを示す印刷有無情報とが含まれるタグを付加した処理対象電子文書の一例を示す図である。
【図８】プリンタの電子文書印刷時の動作を示す第１のフローチャートである。
【図９】プリンタの電子文書印刷時の動作を示す第２のフローチャートである。
【図１０】プリンタの電子文書印刷時の動作を示す第３のフローチャートである。
【図１１】印刷時間の比較を示す図である。
【符号の説明】
【００５１】
１０  ＰＣ
２０  プリンタ
３０  イントラネット
１０２、２０２  制御部
１０４  操作部
１０６、２０６  記憶部
１０８  モニタ
１１０、２０４  通信部
２０８  描画処理部
２１０  転写処理部
【図１】
2008176542.tif 000003
【図２】
2008176542.tif 000004
【図３】
2008176542.tif 000005
【図４】
2008176542.tif 000006
【図５】
2008176542.tif 000007
【図６】
2008176542.tif 000008
【図７】
2008176542.tif 000009
【図８】
2008176542.tif 000010
【図９】
2008176542.tif 000011
【図１０】
2008176542.tif 000012
【図１１】
2008176542.tif 000013